(57)【要約】【課題】低い消費電力でスクリーンを振動でき、かつスペックルノイズを低減した良好な品質の映像を得ることができるスクリーン表示装置を提供する【解決手段】映像を投射するスクリーンＳを揺動することによりスペックルノイズを低減するスクリーン表示装置１において、スクリーンＳに連結し、このスクリーンＳを揺動するトランスデューサ４と、このトランスデューサ４にスクリーンＳが揺動する聴覚音をα波として発生させるための１/ｆゆらぎ信号（ｆは周波数）が重畳したタイミング信号を供給する駆動回路３と、を有する。【選択図】      図１
2007316400.tif 000002
【特許請求の範囲】
【請求項１】
レーザ光による映像を投射するスクリーンを揺動することにより前記スクリーンから反射したレーザ光が干渉することにより生じるスペックルノイズを低減するスクリーン表示装置において、
前記スクリーンに連結し、前記スクリーンを揺動するトランスデューサと、
前記トランスデューサに前記スクリーンが揺動する聴覚音をα波として発生させるための１/ｆゆらぎ信号（ｆは周波数）が重畳したタイミング信号を供給する駆動回路と、
を有することを特徴とするスクリーン表示装置。
【発明の詳細な説明】
【技術分野】
【０００１】
本発明は、前記スクリーンから反射したレーザ光が干渉することにより生じるスペックルノイズを低減して表示品質を向上させると共にこれに伴う騒音防止を行うスクリーン表示装置に関するものである。
【背景技術】
【０００２】
映像光をスクリーンへ投射した場合、スクリーンから反射したレーザ光による映像光が互いに干渉することにより発生するスペックルノイズによって映像がギラギラと見えたり映像に明暗が発生することがある。
特許文献１には、このスペックルノイズを低減させる対策について記載されている。
【０００３】
特許文献１の記載のスクリーン表示装置について図４を用いて説明する。
図４に示すように、従来の投射表示装置５は、光源部６と、光源部６から出射した映像光を映し出す受像部７とから構成されている。
受像部７は、第１スクリーン８と、この第1スクリーン８に対して所定の間隔を有して配置された第２スクリーン９と、第１、第２スクリーン８,９の間を密閉するためのシールド部１０とから構成されている。この第１、第２スクリーン８,９の間には気体が充填されている。
【０００４】
第１スクリーン８の振動により光源部６から出射した映像光の光線Ｐ,Ｑが受像部７へ照射される位置が微妙に変化し続けるので、反射光の強度が大きく見えるＡ点の位置が変化するため、スペックルノイズを低減できるようになっている。
シールド部１０に音声信号が供給されることにより、第１、第２スクリーン８,９間に充填されている気体を動かして第１スクリーン８を振動させることにより受像部７から音声を出力させることができるようになっている。
言い換えると、受像部７自体がスピーカの機能を有するようにしている。
【０００５】
また、静止画や無音の動画コンテンツを表示する場合において、音声がないためにスクリーンの振動が発生しないので、スペックルノイズが発生してしまうことを防止するために、人間の可聴範囲を超えた２００００Ｈｚ以上のランダム信号をシールド部１０に与えて第１スクリーン８を振動させている。
【特許文献１】特開２００５−１０７１５０号公報
【発明の開示】
【発明が解決しようとする課題】
【０００６】
しかしながら、人間の可聴範囲を超えた高い周波数で第１スクリーン８を振動させると、シールド部１０の負担が大きくなり、消費電力の増加といった問題が生じてしまう。
【０００７】
そこで、本発明は、上記のような問題点を解消するためになされたもので、低い消費電力でスクリーンを振動でき、かつスペックルノイズを低減した良好な品質の映像を得ることができるスクリーン表示装置を提供することを目的とする。
【課題を解決するための手段】
【０００８】
本願発明は、レーザ光による映像を投射するスクリーンを揺動することにより前記スクリーンから反射したレーザ光が干渉することにより生じるスペックルノイズを低減するスクリーン表示装置において、前記スクリーンに連結し、前記スクリーンを揺動するトランスデューサと、前記トランスデューサに前記スクリーンが揺動する聴覚音をα波として発生させるための１/ｆゆらぎ信号（ｆは周波数）が重畳したタイミング信号を供給する駆動回路と、を有することを特徴とするスクリーン表示装置を提供する。
【発明の効果】
【０００９】
本願発明によれば、前記スクリーンに連結し、前記スクリーンを揺動するトランスデューサと、前記トランスデューサに前記スクリーンが揺動する聴覚音をα波として発生させるための１/ｆゆらぎ信号（ｆは周波数）が重畳したタイミング信号を供給する駆動回路とを有するので、低い消費電力でスクリーンを振動でき、かつスペックルノイズを低減した良好な品質の映像を得ることができる。
【発明を実施するための最良の形態】
【００１０】
以下に本発明の実施の形態に係るスクリーン表示装置について図１乃至図３を用いて説明する。
図１は、本発明の実施の形態におけるスクリーン表示装置を示す図である。
図２は、タイミング信号を示す図である。
図３は、１／ｆゆらぎが重畳されたタイミング信号を示す図である。
【００１１】
図１に示すように、スクリーン表示装置１は、複数の照明光学系を有し、レーザ光による映像光をスクリーンＳに投射する画像投射部２と、図２に示すタイミング信号に図３に示す１／ｆゆらぎ（ｆは周波数）が重畳されたタイミング信号を生成する駆動回路３と、駆動回路３で生成された１／ｆゆらぎが重畳されたタイミング信号により、スクリーンＳを振動させるトランスデューサ４とから構成されている。
ここで、１／ｆゆらぎが重畳されたタイミング信号は、人間の可聴範囲以下の低い周波数の信号である。１／ｆゆらぎは、α波や心拍を始め自然界に存在する人に快適感を与えるものである。
【００１２】
次に、その動作について説明する。
駆動回路３から１／ｆゆらぎが重畳されたタイミング信号を生成して、トランスデューサ４に供給する。トランスデューサ４は、１／ｆゆらぎ信号が重畳されたタイミング信号により、スクリーンＳを振動させる。次に、画像投射部２から映像をスクリーンＳに投射して、このスクリーンＳで反射された映像光を視認して映像を見ることができる。
【００１３】
１／ｆゆらぎが重畳されたタイミング信号は、人間の可聴範囲以下の低い周波数の信号であるので、人に聞こえたとしても快適感を与えるものであるため、耳障りな雑音とはならい。また、トランスデューサ４の負荷が小さくてすみ、かつ比較的低消費電力で駆動できる。更に、１／ｆゆらぎが重畳されたタイミング信号を用いて、スクリーンＳを振動させるので、スペックルノイズを低減することができ良好な品質の映像を得ることができる。
なお、トランスデューサ４によりスクリーンＳを振動させる代わりに画像投射部２の照明光学系のいずれかの間に映像光を拡散させるディフィーザーを挿入するようにしても良い。
【図面の簡単な説明】
【００１４】
【図１】本発明の実施の形態におけるスクリーン表示装置を示す図である。
【図２】タイミング信号を示す図である。
【図３】１／ｆゆらぎが重畳されたタイミング信号を示す図である。
【図４】従来のスクリーン表示装置を示す図である。
【符号の説明】
【００１５】
１…スクリーン表示装置、２…画像投射部、３…駆動回路、４…トランスデューサ
【図１】
2007316400.tif 000003
【図２】
2007316400.tif 000004
【図３】
2007316400.tif 000005
【図４】
2007316400.tif 000006